(57)【要約】【課題】パック電池の大型化を回避しつつ、隣接する電池同士の熱伝播を防止し熱暴走を回避する。【解決手段】パック電池は、２本以上が互いに平行な姿勢で配置された円筒状の電池１と、電池１同士の間に配置されて固定され、電池１との接触面３Ａを電池１の側面に沿うする曲面状とした断熱性部材で構成されたスペーサ３とを備える。【効果】電池の間に配置される断熱性部材で構成されるスペーサによって、電池間の熱伝播を阻止して、電池の熱暴走が伝達されるのを防止できる。【選択図】図４
2008140629.tif 000002
【特許請求の範囲】
【請求項１】
２本以上が互いに平行な姿勢で配置された円筒状の電池(1)と、
前記電池(1)同士の間に配置されて固定され、電池(1)との接触面(3A)を電池(1)の側面に沿う曲面状とした断熱性部材で構成されたスペーサ(3)と、
を備えることを特徴とするパック電池。
【請求項２】
請求項１に記載のパック電池であって、
前記スペーサ(3)の幅（Ｄ）が、前記電池(1)の直径とほぼ同じか、これよりも大きいことを特徴とするパック電池。
【請求項３】
請求項１又は２に記載のパック電池であって、さらに、
前記電池(1)を収納するケース(2)を備え、
前記ケース(2)の内壁と、前記スペーサ(3)の少なくとも一端が当接されてなることを特徴とするパック電池。
【請求項４】
請求項１から３のいずれか一に記載のパック電池であって、
前記スペーサ(3)を、電池(1)の隣接方向において多層構造とし、該多層構造にはスペーサ(3)を構成する断熱性部材よりもさらに断熱性の高い高断熱性層(4)を含むことを特徴とするパック電池。
【請求項５】
請求項１から３のいずれか一に記載のパック電池であって、
前記スペーサ(3)が、電池(1)の隣接方向において、中空の空間(5)を形成してなることを特徴とするパック電池。
【請求項６】
請求項１から５のいずれか一に記載のパック電池であって、
前記スペーサ(3)の、電池(1)との当接面に複数の凸条(6A)を形成してなることを特徴とするパック電池。
【請求項７】
請求項１から５のいずれか一に記載のパック電池であって、
前記スペーサ(3)の、電池(1)との当接面にシボ加工を施してなることを特徴とするパック電池。
【請求項８】
請求項１から７のいずれか一に記載のパック電池であって、
前記電池(1)がリチウムイオン電池であることを特徴とするパック電池。
【発明の詳細な説明】
【技術分野】
【０００１】
本発明は、複数の二次電池を同一平面で横並びに連結しているパック電池に関する。
【背景技術】
【０００２】
パック電池は、出力を上げるために複数の二次電池を連結している。特にパック電池の小型化の要求から、隣接する電池同士の間隔を詰めて配置される傾向にある（例えば特許文献１参照）。一方、電池が高熱になると熱暴走することがあり、例えばリチウムイオン電池は、内部短絡等により非常に高温になることがある。この場合、複数の電池が隣接して配置されている構造では、１本の電池が高熱になり熱暴走すると、隣接する電池にも熱が伝搬して熱暴走を誘発し、次々と熱暴走が発生することが起こり得る。
【特許文献１】特開２００５−３１７４５５号公報
【発明の開示】
【発明が解決しようとする課題】
【０００３】
このような事態を防止するには、電池同士を接触させず離間させて配置し、熱伝導が生じ難いように隔離する構成が考えられる。しかしながらこの構成では電池間にスペースを設けることでパック電池が大型化し、単位体積あたりの出力電力が小さくなるという問題があった。
【０００４】
本発明は、従来のこのような問題点を解決するためになされたものである。本発明の主な目的は、パック電池の大型化を回避しつつ、隣接する電池同士の熱伝播を防止し熱暴走を回避し得るパック電池を提供することにある。
【課題を解決するための手段】
【０００５】
本発明のパック電池は、２本以上が互いに平行な姿勢で配置された円筒状の電池１と、電池１同士の間に配置されて固定され、電池１との接触面３Ａを電池１の側面に沿うする曲面状とした断熱性部材で構成されたスペーサ３とを備える。
【０００６】
本発明の請求項２のパック電池は、スペーサ３の幅（Ｄ）を、電池１の直径とほぼ同じか、これよりも大きくしている。
【０００７】
本発明の請求項３のパック電池は、電池１を収納するケース２を備え、ケース２の内壁と、スペーサ３の少なくとも一端が当接されるよう構成している。
【０００８】
本発明の請求項４のパック電池は、スペーサ３を、電池１の隣接方向において多層構造としており、この多層構造が、スペーサ３を構成する断熱性部材よりもさらに断熱性の高い高断熱性層４を含んでいる。
【０００９】
本発明の請求項５のパック電池は、スペーサ３が、電池１の隣接方向において中空の空間５を形成している。
【００１０】
さらに、本発明の請求項６のパック電池は、スペーサ３が、電池１との当接面に複数の凸条６Ａを形成している。また、本発明の請求項７のパック電池は、スペーサ３が、電池１との当接面にシボ加工を施している。
【００１１】
さらにまた、本発明の請求項８のパック電池は、電池１を、リチウムイオン電池としている。
【発明の効果】
【００１２】
本発明のパック電池は、パック電池の大型化を回避しつつ、隣接する電池同士の熱伝播を確実に防止して、熱暴走を回避できる特長がある。それは、本発明のパック電池が、電池の間に配置されるスペーサに断熱性を持たせており、スペーサを介した電池の熱伝播を阻止しているからである。
さらに、本発明のパック電池は、円筒状の電池同士の間に、電池との接触面を電池の側面に沿う曲面状とするスペーサを配置しているので、隣接する電池をスペーサで定位置に配置できる特長がある。
【００１３】
本発明の請求項２のパック電池は、スペーサの幅を、電池の直径とほぼ同じか、これよりも大きくしているので、隣接する電池同士で一方の電池から他方の電池に輻射熱が伝播することを阻止できる特長がある。
【００１４】
本発明の請求項３のパック電池は、電池を収納するケースの内壁と、スペーサの少なくとも一端を当接させるので、ケース内部における各電池の収納空間を、ケースの内壁とスペーサで区画して熱伝播を低減し、パック電池の小型化を図りつつ熱暴走を回避できる特長がある。
【００１５】
本発明の請求項４のパック電池は、スペーサを多層構造として、スペーサを構成する断熱性部材よりもさらに断熱性の高い高断熱性層を設けているので、この高断熱性層によって、隣接する電池同士の断熱効果をさらに高めることができる。
【００１６】
本発明の請求項５のパック電池は、スペーサが、電池の隣接方向において中空の空間を形成しているので、断熱性の高い空気層をスペーサ内部に形成して、隣接する電池同士の断熱効果をさらに高めることができる。
【００１７】
本発明の請求項６のパック電池は、スペーサが、電池との当接面に複数の凸条を形成しているので、スペーサと電池との当接面を凸条で離間させて空気層を形成して断熱性を高めることができる。
【００１８】
また、本発明の請求項７のパック電池は、スペーサが、電池との当接面にシボ加工を施しているので、スペーサと電池との当接面をシボ加工で微視的に離間させて、これらの間に空気層を形成して断熱性を高めることができる。
【００１９】
さらにまた、本発明の請求項８のパック電池は、リチウムイオン電池のひとつが発熱しても周囲の電池に伝搬して熱暴走が拡散する事態を回避できる。
【発明を実施するための最良の形態】
【００２０】
以下、本発明の実施の形態を図面に基づいて説明する。ただし、以下に示す実施の形態は、本発明の技術思想を具体化するためのパック電池を例示するものであって、本発明はパック電池を以下のものに特定しない。また、本明細書は、特許請求の範囲に示される部材を、実施の形態の部材に特定するものでは決してない。なお、各図面が示す部材の大きさや位置関係等は、説明を明確にするため誇張していることがある。さらに、以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２１】
図１ないし図４に示すパック電池は、ケース２に複数の電池１を収納している。複数の電池１は、２本以上が互いに平行な姿勢となるように配置すると共に、互いに隣接する電池１同士の間には、断熱性部材で構成されたスペーサ３を配置して、隣接する電池１同士の熱伝播を防止している。
【００２２】
図のパック電池は、ケース２に６本の電池１を収納している。６本の電池１は、２本を平行に並べて連結すると共に、平行に連結している３組の電池１を直線状に連結している。パック電池は、図２ないし図６に示すように、互いに隣接して平行に配置される２本の電池１の間にスペーサ３を配設すると共に、２本の電池１を並列に接続して並列ユニット１２とし、２本の電池１とスペーサ３とからなる３組の並列ユニット１２を、電池１の向きが等しくなるように直線状に連結して、互いに直列に接続している。すなわち、図のパック電池は、６本の電池１を、２並３直に接続して電池ブロック１１としている。ただ、本発明のパック電池は、ケースに収納する電池を、２本ないし４本とすることも、８本以上とすることもできる。さらに、本発明のパック電池は、複数の電池の接続状態を、以上に限定しない。パック電池は、平行に連結する電池を３本以上とすることができ、また、直線状に連結する電池を２本以下とすることも、４本以上とすることもできる。たとえば、パック電池は、３本以上の電池１を並列に接続して並列ユニットとすることができ、また、互いに直列に接続する並列ユニットを２組以下とすることも、４組以上とすることもできる。さらにまた、パック電池は、互いに平行に配置される電池を必ずしも同じ向きとして並列に接続する必要はなく、逆向きとすることもできる。ただし、どの場合においても、互いに隣接して平行に配置される電池同士の間には、スペーサを配置する。隣接する電池同士の熱伝播を防止するためである。
【００２３】
互いに隣接して平行に配置される電池１は、電池間にスペーサ３を介在させる状態で、両端の電極にリード板１３、１４を接続して並列に接続される。並列ユニット１２を構成する電池１は、同じ方向に向けられて両端の電極にリード板１３、１４を接続している。互いに直列に接続される並列ユニット１２は、電池１の方向を同じ方向として、対向する電極をリード板１３で接続する。このリード板１３は、各並列ユニット１２の電池１を並列に接続すると共に、互いに隣接する並列ユニット１２を直列に接続する。電池ブロック１１の両端に接続されるリード板１４は、両端に位置する２本の電池１を並列に接続する。リード板１３、１４は金属板で、スポット溶接して、あるいはレーザ溶接して電池１の電極に接続される。
【００２４】
さらに、図に示すパック電池は、電池１の保護回路を実装する回路基板９をケース２に内蔵している。このパック電池は、図３、図５及び図６に示すように、回路基板９を、リード板１３、１４を介して電池ブロック１１に接続して電池のコアパック１０とし、このコアパック１０をケース２に収納している。電池ブロック１１の両端に接続されるリード板１４は、電池１の出力リードとして回路基板９に接続しており、並列ユニット１２を直列に接続するリード板１３は、各並列ユニット１２の電圧検出用のリードとして回路基板９に接続している。回路基板４は、絶縁基板に電子部品を実装した基板で、各々の並列ユニット５の電池電圧を検出して、電池１の充放電電流を制御する保護回路を実装している。このパック電池は、保護回路で電池１の過充電と過放電を防止しながら充放電する。また、保護回路は、電池１の過電流を検出して、電池１の充放電を制御することもできる。
【００２５】
電池１は、円筒型のリチウムイオン電池である。リチウムイオン電池は、非水系電解液を使用する。リチウムイオン電池が熱暴走してこの電解液が噴出されると、危険な状態となる。このため、リチウムイオン電池を備えるパック電池は、熱暴走をいかにして効果的に阻止できるかが大切である。本発明のパック電池は、断熱性部材で構成されたスペーサ３で隣接する電池間の熱伝播を防止して電池の熱暴走を防止するので、リチウムイオン電池を内蔵する構造に適している。ただし、電池は、ニッケル水素電池やニッケルカドミウム電池とすることもできる。
【００２６】
ケース２は、プラスチックを成形して製作される。図のケース２は、電池のコアパック１０を入れる箱形に成形している本体ケース２Ａと、この本体ケース２Ａの開口部を閉塞する蓋ケース２Ｂとからなる。本体ケース２Ａは、表面プレート１５の外周に沿って周壁１６を一体的に成形して、全体の形状を上方開口の箱型としている。さらに、図３と図４に示す本体ケース２Ａは、表面プレート１５の一辺に沿うコーナー部を、電池１の外周面に沿う湾曲面２ａとしている。この本体ケース２Ａは、ケース２の外形を小さくして、パック電池全体をコンパクトにできる特長がある。蓋ケース２Ｂは、表面プレート１７の外周に沿って周壁１８を一体的に成形した形状としている。本体ケース２Ａは、蓋ケース２Ｂよりも周壁１６の高さを高くして、蓋ケース２Ｂよりも深くしている。蓋ケース２Ｂは、周壁１８の高さを低くして浅くしている。このケース２は、本体ケース２Ａに、組み立てられた電池のコアパック１０を入れ、開口部に蓋ケース２Ｂを固定して組み立てられる。
【００２７】
ケース２は、互いに連結される本体ケース２Ａと蓋ケース２Ｂの内部に閉鎖された収納室１９を形成しており、この収納室１９に、電池のコアパック１０を収納している。したがって、収納室１９は、電池のコアパック１０を収納できる大きさとしている。図のケース２は、表面プレート１５、１７の外形をほぼ長方形として、直方体に近い箱形としている。以上のケース２は、本体ケース２Ａの表面プレート１５と蓋ケース２Ｂの表面プレート１７の間に複数の電池１を収納する。したがって、複数の電池１は、上下の表面プレート１５、１７と平行な面内に並べられて、一対の表面プレート１５、１７の間に収納される。一対の表面プレート１５、１７の間隔、言い換えると収納室１９の深さは、電池１の外径とほぼ等しく、あるいはわずかに大きく、ここに電池１とスペーサ３と回路基板９を一体的に連結している電池のコアパック１０が収納される。
【００２８】
本体ケース２Ａと蓋ケース２Ｂは、周壁１６、１８の端縁を連結して互いに連結され、内部に閉鎖された収納室１９を形成する。このケース２は、本体ケース２Ａと蓋ケース２Ｂを周壁１６、１８の端縁で連結するので、本体ケース２Ａと蓋ケース２Ｂの周壁１６、１８は、端縁の連結部の形状を同じ形状としている。図の本体ケース２Ａと蓋ケース２Ｂは、周壁１６、１８の端縁の連結部を嵌着させると共に、この連結部を係止構造で連結している。ただ、本体ケースと蓋ケースの周壁は、接着して連結し、あるいは超音波溶着して連結することもできる。
【００２９】
さらに、図２と図３に示すケース２は、一方の側面から突出して、回路基板９を収納する基板収納部２０を設けている。このケース２は、基板収納部２０に回路基板９を収納して定位置に配置できる。さらに、ケース２は、基板収納部２０に配設される回路基板９に固定した出力コネクタ２１を、ケース２の外部に表出させる電極窓２２を開口して設けている。このパック電池は、電極窓２２から表出する出力コネクタ２１を電子機器に接続して、パック電池から電子機器へ電力が供給される。
【００３０】
スペーサ３は、互いに隣接して平行な姿勢で配置される電池１の間に配置されて、隣接する電池１同士の熱伝播を阻止する。スペーサ３は、発熱する電池１の熱の伝播を阻止できるように、断熱性部材で構成している。さらに、スペーサ３は、隣接する電池同士を絶縁するために、絶縁材であるプラスチックで製作される。したがって、スペーサ３は、熱伝導率の低い材質、例えばポリカーボネート（ＰＣ）等のプラスチックを成形して製作している。断熱性部材で構成されるスペーサ３は、発熱する電池の熱を遮断して、発熱電池の熱が隣の電池１に熱伝導されるのを防止する。これにより、発熱電池の熱暴走が隣の電池に伝達されるのを阻止する。
【００３１】
さらに、スペーサ３は、電池１との接触面３Ａを、円筒状の電池１の側面外形に沿う曲面状に成形している。図３ないし図７に示すスペーサ３は、円弧状に湾曲してなる２枚の保持プレート３０を互いに逆向きに連結してなる形状であって、断面形状をＸ字状とする形状に成形している。このスペーサ３は、電池１と対向する保持プレート３０の湾曲面を保持溝３１として、ここに配置される電池１を保持する構造としている。保持溝３１は、図７の斜視図に示すように、円筒形電池１の表面に沿う溝型に成形される。この保持溝３１は、円筒形電池１の表面に面接触状態で接触して、円筒形電池１を位置ずれしないように定位置に保持する。図に示すスペーサ３は、保持プレート３０を電池１の外周のほぼ半分に沿う円弧状としている。ただ、保持プレートは、電池の外周面に沿う部分を電池の外周の半分以下とすることもできる。
【００３２】
さらに、スペーサ３は、その幅（Ｄ）を、電池１の直径とほぼ同じか、あるいは、これよりも大きくしている。このスペーサ３は、一方の電池から他方の電池に輻射熱が伝播するのを有効に阻止できる。とくに、このスペーサ３は、図４に示すように、電池１をケース２に収納する状態で、スペーサ３の上下の両端をケース２の内壁である表面プレート１５、１７の内面に当接させる。この構造は、ケース２の内部に形成される収納室１９を、ケース２とスペーサ３とで区画して、各々の電池１を収納する区画室１９Ａを形成するので、発熱した電池の熱をこの区画室１９Ａでブロックして、隣接する区画室１９Ａに収納される電池に伝播するのを有効に防止できる特長がある。ただ、本発明のパック電池は、必ずしもスペーサの上下の両端をケースの内壁に当接させる必要はなく、いずれか一端のみをケースの内壁に当接させることもできる。
【００３３】
さらに、図４に示すスペーサ３は、保持溝３１を形成する一対の保持プレート３０の背面に、電池１の軸方向に延びるＶ字状の縦溝３２を設けている。このように、保持プレート３０の背面に縦溝３２を備えるスペーサ３は、図４に示すように、スペーサ３の上下に形成される縦溝３２と上下の表面プレート１７、１５の内面との間に中空の空気層３３を形成するので、隣接する区画室１９Ａ間での熱の移動をより効果的に防止できる特長がある。さらに、この形状のスペーサ３は、縦溝３２で形成されるスペースにリード線等を配置することもできる。このスペースは、スペーサ３によって電池１から絶縁された空間となるので、リード線を電池から絶縁しながら配置できる。
【００３４】
さらに、スペーサ３は、図８と図９に示すように、電池１との当接面に、電池１の側面に向かって突出する複数の凸部６を設けることもできる。図に示すスペーサ３は、両側に設けた保持溝３１の内面に、複数の凸部６を形成して設けている。保持溝３１の内面に凸部６を備えるスペーサ３は、保持溝３１の内面が直接に電池１の側面に接触することなく、すなわち、電池１をスペーサ３の接触面３Ａに面接触させることなく配置する。このスペーサ３は、凸部６の先端面を電池１の側面に当接させて電池１を定位置に保持する。この構造のスペーサ３は、これらの凸部６によって電池１をスペーサ３から離間させて配置するので、電池１との接触面積を小さくできると共に、保持溝３１の内面と電池１の側面との間に形成される空気の層によって、電池１とスペーサ３との断熱性を高めることができる。
【００３５】
図９に示すスペーサ３は、接触面３Ａに設ける凸部６として、複数列の凸条６Ａを設けている。図のスペーサ３は、両側の保持溝３１の内面に、電池１の外周方向に沿って、複数列の凸条６Ａを互いに平行な姿勢で設けている。このように、電池１の外周方向に沿う凸条６Ａを保持プレート３０の内面に設ける構造は、この凸条６Ａを補強リブとして、スペーサ３の強度を高めることができる。ただ、凸条は、必ずしも電池の外周方向に設ける必要はなく、電池の軸方向に沿って設けることも、あるいは、縦横に交差する形状の凸条を設けることもできる。また、保持溝の内面に設ける凸部は、凸条以外の形状とすることもできる。この凸部は、たとえば、柱状や錐体状、半球状とすることができる。これらの形状の凸部は、多数の凸部を規則正しく、あるいは不規則に配置して電池を保持溝の内面から離間させて保持できる。
【００３６】
さらに、本発明のパック電池は、図１０に示す構造とすることもできる。このパック電池は、互いに隣接して平行に配置される電池１の間に、板状のスペーサ３を配置している。板状のスペーサ３は、図１１に示すように、電池１との接触面３Ａを電池１の側面に沿う形状に成形して保持溝３１を設けている。図のスペーサ３は、中央部の両側であって、全体の幅（Ｄ）の約１／３の領域に保持溝３１を設けている。ただ、保持溝の幅（ｄ）は、スペーサ全体の幅（Ｄ）の１／１０以上とすることができる。図のスペーサ３も、前述のスペーサと同様に、その幅（Ｄ）を、電池１の直径とほぼ同じか、あるいは、これよりも大きくしており、一方の電池から他方の電池に輻射熱が伝播するのを有効に阻止している。さらに、このパック電池も、図１０に示すように、電池１をケース２に収納する状態で、スペーサ３の上下の両端をケース２の内壁である表面プレート１５、１７の内面に当接させて、ケース２の内部に形成される収納室１９を、各々の電池１を収納する区画室１９Ａに区画している。このパック電池は、スペーサを最も簡単な構造として、電池の熱暴走が隣の電池に伝達されるのを阻止できる。
【００３７】
さらに、図１２と図１３に示すスペーサ３は、電池１の隣接方向において多層構造としている。図のスペーサ３は、両側に配置される電池１に当接する２枚の両側プレート部３５の間に中間プレート部３６を積層してなる多層構造としている。このように、多層構造とするスペーサ３は、各層の境界部分における熱伝導にロスが生じるため、両側に配置される両側プレート部３５と中間プレート部３６の間における熱の移動を効果的に抑制できる特長がある。
【００３８】
さらに、このスペーサ３は、中間プレート部３６を、両側プレート部３５よりも、さらに断熱性の高い高断熱性層４としている。この構造のスペーサ３は、両側に位置する両側プレート部同士の熱伝達を、高断熱性層４である中間プレート部３６が阻止するので、一方の電池から他方の電池に向かって熱が伝播するのをより確実に阻止できる。とくに、中間に配設する高断熱性層４は、直接に電池１に接触する層とはならないので、硬度や絶縁性などに制約がなく、断熱性に優れた材質のものを優先的に使用できる。また、多層構造とするスペーサ３は、両側に配置される両側プレート部３５を、電池１の表面に当接させながら定位置に保持するために、プラスチック等の成形体とするが、中間プレート部３６は、直接に電池１には接触しないので、このような加工性が要求されない。したがって、中間プレート部３６は、特定の形状に成形することなく、板状のものを積層して多層構造にできる。このことは、高断熱性層４を構成する中間プレート部３６として、加工性にとらわれることなく、加工が困難な材質を選択でき、これにより、優れた断熱特性を有する材質を好適に使用できる。高断熱性層４として、たとえば、塩化ビニル、発泡プラスチック、コルク、石綿、ガラスウール、石膏、木材、紙、フェルト、布、合成または天然繊維の集合体等が使用できる。高断熱性層４は、これらの材料を、たとえば、所定の厚さの板状に成形したものを使用できる。図に示すスペーサ３は、中間に１層の高断熱性層４を設けて全体を３層構造としているが、多層構造のスペーサは、中間に設ける高断熱性層を複数の層として、全体を４層以上とすることもできる。
【００３９】
また、図１４に示すスペーサ３は、電池１の隣接方向において、中空の空間５を形成している。この構造のスペーサ３は、電池１に接触する接触面３Ａの間に中空の空間５を形成しているので、断熱性の高い空気層によって、隣接する電池１同士の断熱効果をさらに高めることができる。このスペーサ３は、簡単な構造でスペーサ３の断熱性を高めることができる。
【００４０】
さらにまた、図１５と図１６に示すスペーサ３は、電池１との当接面である保持溝３１の内面にシボ工を施して、無数の凸部６を設けている。このスペーサ３も、これらの無数の凸部６によって電池１をスペーサ３から離間させて配置するので、電池１との接触面積を小さくできると共に、保持溝３１の内面と電池１の側面との間に形成される空気の層によって、電池１とスペーサ３との断熱性を高めることができる。
【図面の簡単な説明】
【００４１】
【図１】本発明の一実施例にかかるパック電池の斜視図である。
【図２】図１に示すパック電池の内部構造を示す斜視図である。
【図３】図２に示すパック電池の分解斜視図である。
【図４】図１に示すパック電池のＡ−Ａ線断面図である。
【図５】図２に示すパック電池のコアパックの平面図である。
【図６】図５に示すコアパックの側面図である。
【図７】図３に示すパック電池のスペーサの斜視図である。
【図８】本発明の他の実施例にかかるパック電池の断面図である。
【図９】図８に示すパック電池のスペーサの斜視図である。
【図１０】本発明の他の実施例にかかるパック電池の断面図である。
【図１１】図１０に示すパック電池のスペーサの斜視図である。
【図１２】本発明の他の実施例にかかるパック電池の断面図である。
【図１３】図１２に示すパック電池のスペーサの斜視図である。
【図１４】本発明の他の実施例にかかるパック電池の断面図である。
【図１５】本発明の他の実施例にかかるパック電池の断面図である。
【図１６】図１５に示すパック電池のスペーサの斜視図である。
【符号の説明】
【００４２】
１…電池
２…ケース              ２Ａ…本体ケース
２Ｂ…蓋ケース
２ａ…湾曲面
３…スペーサ            ３Ａ…接触面
４…高断熱性層
５…空間
６…凸部                ６Ａ…凸条
９…回路基板
１０…コアパック
１１…電池ブロック
１２…並列ユニット
１３…リード板
１４…リード板
１５…表面プレート
１６…周壁
１７…表面プレート
１８…周壁
１９…収納室            １９Ａ…区画室
２０…基板収納部
２１…出力コネクタ
２２…電極窓
３０…保持プレート
３１…保持溝
３２…縦溝
３３…空気層
３５…両側プレート部
３６…中間プレート部
【図１】
2008140629.tif 000003
【図２】
2008140629.tif 000004
【図３】
2008140629.tif 000005
【図４】
2008140629.tif 000006
【図５】
2008140629.tif 000007
【図６】
2008140629.tif 000008
【図７】
2008140629.tif 000009
【図８】
2008140629.tif 000010
【図９】
2008140629.tif 000011
【図１０】
2008140629.tif 000012
【図１１】
2008140629.tif 000013
【図１２】
2008140629.tif 000014
【図１３】
2008140629.tif 000015
【図１４】
2008140629.tif 000016
【図１５】
2008140629.tif 000017
【図１６】
2008140629.tif 000018